(57)【要約】【課題】換気孔付き台輪の換気孔を必要に応じて開閉できる換気孔開閉シャッターおよび換気孔開閉シャッター取付構造を提供する。【解決手段】建物躯体１２の下面１２ａに取り付けられる取付部１３と、基礎８に密接することによって換気孔２を閉鎖する閉鎖位置と、基礎８から離間することによって換気孔２を開放する開放位置との間で回動可能なシャッター部１４と、シャッター部１４が閉鎖位置側に向けて所定量回動した際に、シャッター部１４を基礎８に押圧し、また、シャッター部１４が開放位置に向けて所定量回動した際に、シャッター部１４を前記開放位置に保持する板バネ１５とを備えた構成とするので、換気孔付き台輪１の換気孔２を必要に応じて開閉できる。【選択図】図３
2008031698.tif 000002
【特許請求の範囲】
【請求項１】
基礎と基礎上に構築される建物躯体との間に、前記基礎の長手方向に沿って配置され、複数の換気孔が形成された換気孔付き台輪の前記換気孔を開閉する換気孔開閉シャッターであって、
前記建物躯体の下面に取り付けられる取付部と、この取付部に設けられて、前記基礎に密接することによって前記換気孔を閉鎖する閉鎖位置と、前記基礎から離間することによって前記換気孔を開放する開放位置との間で回動可能なシャッター部と、
前記取付部と前記シャッター部とに設けられて、該シャッター部が前記閉鎖位置側に向けて所定量回動した際に、前記シャッター部を前記基礎に押圧し、また、前記シャッター部が前記開放位置に向けて所定量回動した際に、前記シャッター部を前記開放位置に保持する板バネとを備えたことを特徴とする換気孔開閉シャッター。
【請求項２】
請求項１に記載の換気孔開閉シャッターにおいて、
前記取付部は、前記建物躯体の下面に当接されてうえで該下面に固定される固定板と、この固定板に設けられて、前記シャッター部に一端部が固定された板バネの他端部を支持固定する支持板とを備えていることを特徴とする換気孔開閉シャッター。
【請求項３】
請求項１または２に記載の換気孔開閉シャッターにおいて、
前記シャッター部には、前記基礎に密接する密接部材が取り付けられていることを特徴とする換気孔開閉シャッター。
【請求項４】
請求項１〜３のいずれか一項に記載の換気孔開閉シャッターを建物躯体に取り付けた換気孔開閉シャッター取付構造であって、
基礎上に換気孔付き台輪が設置され、この換気孔付き台輪上に建物躯体が設置されており、
前記建物躯体の下面に前記換気孔開閉シャッターの取付部が取り付けられることによって、前記シャッター部が前記換気孔を閉鎖する閉鎖位置と、前記換気孔を開放する開放位置との間で回動可能なっており、
前記シャッター部が前記閉鎖位置側に向けて所定量回動した際に、前記板バネによって前記シャッター部が前記基礎に押圧されて、該基礎に密接することによって前記換気孔が閉鎖され、また、前記シャッター部が前記開放位置に向けて所定量回動した際に、前記板バネによって前記シャッター部が前記開放位置に保持されて前記基礎から離間することによって前記換気孔が開放されること特徴とする換気孔開閉シャッター取付構造。
【請求項５】
請求項４に記載の換気孔開閉シャッター取付構造において、
前記シャッター部の前方は建物躯体に取り付けられている基礎水切りによって覆われていることを特徴とする換気孔開閉シャッター取付構造。 
【発明の詳細な説明】
【技術分野】
【０００１】
本発明は、基礎と基礎上に構築される建物躯体との間に設けられる換気孔付き台輪の換気孔を開閉する換気孔開閉シャッターおよび換気孔開閉シャッター取付構造に関する。
【背景技術】
【０００２】
住宅等の建物を構築する際には、まず基礎を構築し、この基礎の上端面に台輪を敷き、この台輪上に床部材や壁部材等の構造部材で構成された建物躯体を設置するといった施工方法がとられている。
また、前記台輪として、その側面に換気用の孔が幅方向に形成されている換気孔付き台輪が知られている。このような換気孔付き台輪は基礎の全周にわたって設けられて、前記換気用の孔から外気が入り込むことによって床下空間部等の建物本体の防湿効果を促進するようになっている（例えば、特許文献１参照）。
【特許文献１】特開２００２−１２９６６２号公報
【発明の開示】
【発明が解決しようとする課題】
【０００３】
ところで、特に寒冷地住宅において、上記特許文献１に記載のような換気孔付き台輪を設けた際に、冬期に、屋外から床下空間部等の建物本体内部に吹き込む冷たい空気によって室内が冷やされてしまう場合がある。この場合、換気孔付き台輪の換気孔を閉鎖するのが望ましい。
一方、特に木造住宅においては床下空間部における空気の流通を良好とし、低湿気状態に保持して、シロアリによる食害や微生物等による腐敗等の被害から、木材を防護する必要がある。したがって、通常は換気孔付き台輪の換気孔を閉鎖するのが望ましい。
しかしながら、従来の換気孔付き台輪は換気孔が開放されたままの状態であるので、必要におうじて換気孔を開閉することはできなかった。
【０００４】
本発明は上記事情に鑑みてなされたもので、換気孔付き台輪の換気孔を必要に応じて開閉できる換気孔開閉シャッターおよび換気孔開閉シャッター取付構造を提供することを課題としている。
【課題を解決するための手段】
【０００５】
上記課題を解決するために、請求項１に記載の発明は、例えば図３および図４に示すように、基礎８と基礎８上に構築される建物躯体１２との間に、前記基礎８の長手方向に沿って配置され、複数の換気孔２が形成された換気孔付き台輪１の前記換気孔２を開閉する換気孔開閉シャッター１１であって、
前記建物躯体１２の下面１２ａに取り付けられる取付部１３と、この取付部１３に設けられて、前記基礎８に密接することによって前記換気孔２を閉鎖する閉鎖位置と、前記基礎８から離間することによって前記換気孔２を開放する開放位置との間で回動可能なシャッター部１４と、
前記取付部１３と前記シャッター部１４とに設けられて、該シャッター部１４が前記閉鎖位置側に向けて所定量回動した際に、前記シャッター部１４を前記基礎８に押圧し、また、前記シャッター部１４が前記開放位置に向けて所定量回動した際に、前記シャッター部１４を前記開放位置に保持する板バネ１５とを備えたことを特徴とする。
【０００６】
請求項１に記載の発明によれば、建物躯体１２の下面１２ａに換気孔開閉シャッター１１の取付部１３を取り付けることによって、シャッター部１４を換気孔２を閉鎖する閉鎖位置と、換気孔２を開放する開放位置との間で回動可能としておき、冬期等において換気孔付き台輪１の換気孔２を閉鎖したい場合、シャッター部１４を閉鎖位置側に向けて所定量回動させると、板バネ１５によってシャッター部１４が基礎８に押圧されて、該基礎８に密接することによって換気孔２が閉鎖される。
一方、換気孔付き台輪１の換気孔２を開放したい場合、シャッター部１４を開放位置側に向けて所定量回動させると、板バネ１５によってシャッター部１４が開放位置に保持されて基礎８から離間することによって換気孔２が開放される。
したがって、換気孔付き台輪１の換気孔２を必要に応じて開閉できる。
【０００７】
請求項２に記載の発明は、請求項１に記載の換気孔開閉シャッター１において、
前記取付部１３は、前記建物躯体１２の下面１２ａに当接されてうえで該下面１２ａに固定される固定板１３ａと、この固定板１３ａに設けられて、前記シャッター部１４に一端部が固定された板バネ１５の他端部を支持固定する支持板１３ｂとを備えていることを特徴とする。
【０００８】
請求項２に記載の発明によれば、固定板１３ａを建物躯体１２の下面１２ａに固定することによって、取付部１３を建物躯体１２の下面１２ａに確実に取り付けることができる。また、支持板１３ｂによって板バネ１５の他端部が支持固定され、板バネ１５の一端部がシャッター部１４に固定されているので、シャッター部１４を板バネ１５によって開放位置と閉鎖位置とに保持できる。
【０００９】
請求項３に記載の発明は、請求項１または２に記載の換気孔開閉シャッターにおいて、
前記シャッター部１４には、前記基礎８に密接する密接部材１４ｂが取り付けられていることを特徴とする。
【００１０】
請求項３に記載の発明によれば、シャッター部１４に取り付けられている密接部材１４ｂが基礎８に密接することによって、換気孔付き台輪１の換気孔２を確実に閉鎖できる。
【００１１】
請求項４に記載の発明は、請求項１〜３のいずれか一項に記載の換気孔開閉シャッター１を建物躯体１２に取り付けた換気孔開閉シャッター取付構造であって、
基礎８上に換気孔付き台輪１１が設置され、この換気孔付き台輪１１上に建物躯体１２が設置されており、
前記建物躯体１２の下面１２ａに前記換気孔開閉シャッター１１の取付部１３が取り付けられることによって、前記シャッター部１４が前記換気孔２を閉鎖する閉鎖位置と、前記換気孔２を開放する開放位置との間で回動可能なっており、
前記シャッター部１４が前記閉鎖位置側に向けて所定量回動した際に、前記板バネ１５によって前記シャッター部１４が前記基礎８に押圧されて、該基礎８に密接することによって前記換気孔２が閉鎖され、また、前記シャッター部１４が前記開放位置に向けて所定量回動した際に、前記板バネ１５によって前記シャッター部１４が前記開放位置に保持されて前記基礎８から離間することによって前記換気孔２が開放されること特徴とする。
【００１２】
請求項４に記載の発明によれば、冬期等において換気孔付き台輪１の換気孔２を閉鎖したい場合、シャッター部１４を閉鎖位置側に向けて所定量回動させると、板バネ１５によってシャッター部１４が基礎８に押圧されて、該基礎８に密接することによって換気孔２が閉鎖される。
一方、換気孔付き台輪１の換気孔２を開放したい場合、シャッター部１４を開放位置側に向けて所定量回動させると、板バネ１５によってシャッター部１４が開放位置に保持されて基礎８から離間することによって換気孔２が開放される。
したがって、換気孔付き台輪１の換気孔２を必要に応じて開閉できる。
【００１３】
請求項５に記載の発明は、請求項４に記載の換気孔開閉シャッター取付構造において、
前記シャッター部４の前方は建物躯体１２に取り付けられている基礎水切り１７によって覆われていることを特徴とする。
【００１４】
請求項５に記載の発明によれば、シャッター部１４の前方が基礎水切り１７によって覆われているので、シャッター部１４を開放位置にして換気孔付き台輪１の換気孔２を開放した際に、雨水等の水が換気孔２から床下に侵入するのを防止できる。
また、基礎水切り１７によってシャッター部１４を隠すことができるので、シャッター部１４を保護できるとともに、仕上がりが秀麗なものとなる。
【発明の効果】
【００１５】
本発明によれば、建物躯体の下面に換気孔開閉シャッターの取付部を取り付けておき、冬期等において換気孔付き台輪の換気孔を閉鎖したい場合、シャッター部を閉鎖位置側に向けて所定量回動させると、板バネによってシャッターが基礎に押圧されて、該基礎に密接することによって換気孔が閉鎖され、一方、換気孔付き台輪の換気孔を開放したい場合、シャッター部を開放位置側に向けて所定量回動させると、板バネによってシャッター部が開放位置に保持されて基礎から離間することによって換気孔が開放される。したがって、換気孔付き台輪の換気孔を必要に応じて開閉できる。
【発明を実施するための最良の形態】
【００１６】
以下図面を参照して本発明の実施の形態について説明する。
まず、本発明に係る換気孔開閉シャッターによって開閉される換気孔付き台輪１について第１図を参照して説明する。
換気孔付き台輪１は、略左右方向に長尺な長方形板状のものであり、多数の換気孔２が幅方向に貫通するようにして形成されている。また、換気孔付き台輪１は、基礎と基礎上に構築される建物躯体との間に、基礎の長手方向に沿って配置されるようになっている。
換気孔２はその両端開口部は先端に向かうにしたがって漸次拡径するように形成されており、開口部分の有効換気面積が換気孔付き台輪１の長さ４ｍあたり３００ｃｍ２以上あり、これによって、必要十分な換気量を確保することができるようになっている。
【００１７】
また、換気孔付き台輪１には、上下に貫通する貫通孔３が左右に所定間隔で複数（例えば４個）形成されている。この貫通孔３は平面視長方形状に形成されており、基礎から突出するアンカーボルトが挿通されるようになっている。なお、前記多数の換気孔２のうちの一部は隣り合う貫通孔３，３間を貫通しており、残りは貫通孔３に連通しており、貫通孔３を通して換気ができるようになっている。
また、換気孔付き台輪１には、これを基礎に固定する釘を挿通するための釘孔４が複数形成されている。釘孔４は隣り合う貫通孔３，３間に形成されている。
【００１８】
さらに、換気孔付き台輪１の表面には位置決めマーク５が複数形成されている。この位置決めマーク５は、換気孔付き台輪１の幅方向の中心でかつ、換気孔付き台輪１の延在方向と平行な溝状に形成されている。また、位置決めマーク５は釘孔４に隣接して形成して設けられ、換気孔付き台輪１の幅の中心位置が確認できるようになっている。
また、換気孔付き台輪１の表面には、端部位置合せマーク６が複数形成されている。端部位置合わせマーク６は位置決めマーク５の両側に離間して該位置決めマーク６と平行に線状に設けられている。また端部位置合わせマーク６はそれぞれ台輪の幅を３等分して、３等分した両側部分のそれぞれの略中心に位置している。この端部位置合せマーク６は、換気孔付き台輪１上に設置される建物躯体の位置決めする際に使用されるものである。
【００１９】
上記のような構成の換気孔付き台輪１は、図２に示すように、基礎８の上端面８ａに、該基礎８の長手方向に沿って設置される。この際、基礎８の上端面８ａに設けられている墨出しマーク８ｂに、換気孔付き台輪１の位置決めマーク５を合せるとともに、基礎８の上端面８ａから突出しているアンカーボルト９を換気孔付き台輪１の貫通孔３に挿通する。そのうえで、釘１０を換気孔付き台輪１の釘孔５に挿通して基礎８の上端面８ａに打ち込むことによって、換気孔付き台輪１を基礎８の上端面に固定する。
【００２０】
次に、上記のようにして基礎８の上端面８ａに設置された換気孔付き台輪１の多数の換気孔２を開閉する換気孔開閉シャッター１１およびその取付構造について図３および図４を参照して説明する。
図３および図４において、符号８が基礎、符号１が換気孔付き台輪を示している。換気孔付き台輪１には、上述したように、換気孔２が形成されており、この換気孔２の先端開口部が外側（図３、４において左側）に開口している。
基礎８の上端面８ａには換気孔付き台輪１が基礎８の外面から若干右側にずらされて設置されており、この換気孔付き台輪１の上面に建物躯体１２が設置されている。この建物躯体１２は、例えば土台等であるが、周知のパネル工法によって構築される建物の場合、床パネル、半土台等である。
【００２１】
換気孔開閉シャッター１１は、基礎８の長手方向（図３、４において紙面と直交する方向）に長尺に形成された金属製のものであり、取付部１３とシャッター部１４と板バネ１５とを備えている。
取付部１３は、換気孔開閉シャッター１１を建物躯体１２の下面１２ａに取り付けるものであり、固定板１３ａと、この固定板１３ａに一体的に設けられた支持板１３ｂとから構成されている。
固定板１３ａは、平板状のもので、基礎８の長手方向（図３、４において紙面と直交する方向）に長尺に形成されている。固定板１３ａにはビス孔が固定板１３ａの長手方向（図３、４において紙面と直交する方向）に所定間隔で複数形成されており、このビス孔にビス１６を斜めに挿通して建物躯体１２の下面１２ａにねじ込むことによって、固定板１３ａが該下面１２ａに取付け固定されている。支持板１３ｂは固定板１３ａの右端部から斜め下方に延び、さらに水平に延びるようにして形成されたものであり、この水平部１３ｃは基礎８の上端面８ａより上方に位置している。
【００２２】
前記シャッター部１４は、前記固定板１３ａの右端部から斜め下方に延び、さらに水平に延びるようにして形成されたシャッター部本体１４ａと、このシャッター部本体１４ａの先端部に取り付けられた密接部材１４ｂとから構成されている。この密接部材１４ｂは基礎８の先端部上面および側面に気密状態で密接可能な素材、例えばゴム等によって形成されている。
シャッター部１４はその基端部を支点として開放位置と閉鎖位置との間で上下に回動可能となっている。図３に示すシャッター部１４は、換気孔２を開放する開放位置に位置している。この開放位置において、シャッター部１４は略水平状態となっており、その先端部の密接部材１４ｂは基礎８より上方でかつ外側（左側）に位置している。したがって、密接部材１４ｂと基礎８の上端面８ａとの間には所定の隙間が形成され、この隙間を通して、換気孔２による床下換気ができるようになっている。
また、図４に示すシャッター部１４は、換気孔２を閉鎖する閉鎖位置に位置している。この閉鎖位置において、シャッター部１４はその基端部を支点として下方に回動しており、その先端部の密接部材１４ｂは基礎８の先端部上面および側面に気密状態で密接している。したがって、基礎８の上端面８ａと建物躯体１２の下面１２ａとの間の隙間はシャッター部１４によって閉鎖されており、これによって、換気孔２が外部に対して閉鎖されるようになっている。
【００２３】
前記板バネ１５は断面円弧状に形成された湾曲板状のもので、その上端部（一端部）はシャッター部１４に固定され、下端部は（他端部）は支持板１３ｂの水平部１３ｃに支持固定されている。
板バネ１５は、図３に示す開放状態では、外側（左側）に向けて凸状に湾曲しており、この状態でシャッター部１４を略水上状態に保持している。
一方、板バネ１５は、図４に示す閉鎖状態では、内側（右側）に向けて凸状に湾曲しており、この状態でシャッター部１４の先端部の密接部１４ｂを基礎８の先端部上面および側面に押圧して、この密接部１４ｂを基礎８に気密状態で密接させている。
上記のように板バネ１５は、外側と内側とに向けて弾性的に反転可能となるようなスナップアクションをするものであり、シャッター部１４が閉鎖位置側に向けて所定量回動した際に、内側に向けて弾性的に凸状に湾曲してシャッター部１４を基礎８に押圧し、また、シャッター部１４が開放位置に向けて所定量回動した際に、外側に向けて弾性的に凸状に湾曲して、つまり反転してシャッター部１４を開放位置に保持するようになっている。
【００２４】
また、建物躯体１２の外面には、基礎水切り１７が取り付けられている。この基礎水切り１７は基礎８の長手方向に延在する折曲板状のものであり、その下端部は、基礎８の状端面８ａより下方に位置している。したがって、シャッター部１４の前方は基礎水切り１７によって覆われている。
【００２５】
本実施の形態によれば、冬期等において換気孔付き台輪１の換気孔２を閉鎖したい場合、基礎水切り１７と基礎８との間の隙間から指を挿入して、シャッター部１４を図３に示す開放位置から図４に示す閉鎖位置側に向けて所定量回動させると、板バネ１５が弾性的に反転することによってシャッター部１４が基礎８に押圧されて、該基礎８に密接することによって換気孔２が閉鎖される。
一方、換気孔付き台輪１の換気孔２を開放したい場合、シャッター部１４を図４に示す閉鎖位置から図３に示す開放位置側に向けて所定量回動させると、板バネ１５が反転することによってシャッター部１４が開放位置に保持されて基礎８から離間することによって換気孔２が開放される。
したがって、換気孔付き台輪１の換気孔２を必要に応じて開閉できる。
【００２６】
また、シャッター部１４の前方が基礎水切り１７によって覆われているので、シャッター部１４を開放位置にして換気孔付き台輪１の換気孔２を開放した際に、雨水等の水が換気孔２から床下に侵入するのを防止できる。
また、基礎水切り１７によってシャッター部を隠すことができるので、シャッター部１４を保護できるとともに、仕上がりが秀麗なものとなる。
【００２７】
さらに、換気孔２を開閉する換気孔開閉シャッター１１を換気孔付き台輪１に取付けるのではなくて、建物躯体１２の下面に取り付け、シャッター部１４を基礎８に密接することによって換気孔２を開放し、基礎８から離間させることによって換気孔２を開放するようにしたので、換気孔２の開口部の形状、大きさ等に拘らず、換気孔２を容易に開閉でき、また、換気孔付き台輪１を設置した後でも、換気孔開閉シャッター１１を容易に取り付けることができる。
【図面の簡単な説明】
【００２８】
【図１】本発明に係る換気孔開閉シャッターによって開閉される換気孔付き台輪を示すもので、（ａ）は平面図、（ｂ）は側面図である。
【図２】図１に示す換気孔付き台輪を基礎に取付けている状態を示す斜視図である。
【図３】本発明に係る換気孔開閉シャッターを示すもので、換気孔の開放状態を示す側断面図である。
【図４】同、換気孔の閉鎖状態を示す側断面図である。
【符号の説明】
【００２９】
１  換気孔付き台輪
２  換気孔
８  基礎
１１  換気孔開閉シャッター
１２  建物躯体
１２ａ  下面
１３  取付部
１３ａ  固定板
１３ｂ  支持板
１４  シャッター部
１４ｂ  密接部
１５  板バネ
１７  基礎水切り
【図１】
2008031698.tif 000003
【図２】
2008031698.tif 000004
【図３】
2008031698.tif 000005
【図４】
2008031698.tif 000006